(57)【要約】【課題】  猪，鹿等の小動物を捕獲する足括り式の小動物捕獲装置について、容易な操作で安全性が確保され、ワイアの絞込み動作に確実性が保障されるようにする。【解決手段】  ループ状に広げられて配置されたワイア２を絞込んで小動物の足を縛る絞込部材３と、絞込部材３の絞込み動作を阻止する安全機構５とを備えている。絞込部材３は、内部にコイルスプリング３ａが弾圧収容されたケーシング３ｂと、ケーシング３ｂの上部に嵌合されコイルスプリング３ａの弾圧でワイア２に沿って移動してワイア２を絞込む可動部３ｃとからなる。安全機構５は、絞込部材３のケーシング３ｂに突出して取付けられたネジ孔付きのフランジ５ｂに安全ピン５ｅがネジ込まれて絞込部材３の可動部３ｃに突出して取付けられたフランジ５ｄを押圧するものである。【選択図】図１
2011030507.tif 000002
【特許請求の範囲】
【請求項１】
ループ状に広げられて配置されたワイアを絞込んで小動物の足を縛る絞込部材と、絞込部材の絞込み動作を阻止する安全機構とを備え、絞込部材は内部にコイルスプリングが弾圧収容されたケーシングとケーシングの上部に嵌合されコイルスプリングの弾圧でワイアに沿って移動してワイアを絞込む可動部とからなり、安全機構は絞込部材のケーシングに突出して取付けられたネジ孔付きのフランジに安全ピンがネジ込まれて絞込部材の可動部に突出して取付けられたフランジを押圧するものであることを特徴とする小動物捕獲装置。
【請求項２】
請求項１の小動物捕獲装置において、安全機構の安全ピンはフランジのネジ孔に螺合されて絞込部材の可動部よりもかなり長く突出する長さを有していることを特徴とする小動物捕獲装置。
【請求項３】
請求項２の小動物捕獲装置において、安全機構の安全ピンは下端部にネジ孔に螺合されるネジ部が刻設され上端部に手を掛けることのできる摘部が設けられていることを特徴とする小動物捕獲装置。
【請求項４】
請求項１〜３のいずれかの小動物捕獲装置において、安全機構の絞込部材のケーシングに取付けられたフランジは絞込部材の可動部に取付けられたフランジの側面に対面する回止部が設けられていることを特徴とする小動物捕獲装置。
【発明の詳細な説明】
【技術分野】
【０００１】
本発明は、猪，鹿等の小動物を捕獲する足括り式の小動物捕獲装置に係る技術分野に属する。
【背景技術】
【０００２】
最近、山地の荒廃や気候変動等を原因とした小動物の里地への進出が顕著になっている。このため、里地で耕作されている農作物に小動物による食害等の被害が増大し、農業経済に深刻な影響が出始めている。そこで、里地に進出した小動物を駆除する必要性が生じ、各種提供されている小動物捕獲装置を使用した捕獲駆除事業が実施されている。
【０００３】
小動物捕獲装置としては、小動物の足をワイアで縛る足括り式が広範に使用されている。足括り式の小動物捕獲装置は、小動物が踏板を踏むと踏板の周囲にループ状に広げられていたワイアが絞込まれて小動物の足を縛るように構成されるもので、コイルスプリング等のバネ材の強力な弾圧力でワイアを絞込むことから取扱いに安全性が要求されるものである。
【０００４】
従来、足括り式の小動物捕獲装置としては、例えば、特許文献１に記載のものが知られている。
【０００５】
特許文献１には、ループ状に広げられて配置されたワイアを絞込んで小動物の足を縛る絞込部材と、絞込部材の絞込み動作を阻止する安全機構とを備え、絞込部材は内部にコイルスプリングが弾圧収容されたケーシングとケーシングの上部に嵌合されコイルスプリングの弾圧でワイアに沿って移動してワイアを絞込む可動部とからなり、安全機構は絞込部材のケーシング，可動体の嵌合部分にそれぞれ穿孔されたネジ孔と両ネジ孔に共通してネジ込まれる安全ピンとからなる小動物捕獲装置が記載されている。
【０００６】
特許文献１に係る小動物捕獲装置は、絞込部材の嵌合状態のケーシング，可動部を共通にネジ込まれた安全機構の安全ピンで固定し、絞込部材のコイルスプリングの弾圧に抗して嵌合状態のケーシング，可動部の不測の離脱を防止することで、取扱いの安全性を確保するものである。
【先行技術文献】
【特許文献】
【０００７】
【特許文献１】特開平２００７−３７４２３号公報
【発明の概要】
【発明が解決しようとする課題】
【０００８】
特許文献１に係る小動物捕獲装置では、安全機構の安全ピンが絞込部材のケーシング，可動部の嵌合部分にネジ込まれるため、土中に埋設されてしまう絞込部材の側部に設けられ絞込部材の側部に直交する方向から操作せざるを得ないことから、安全機構の操作が面倒であるという問題点がある。また、土中に埋設されてしまう絞込部材のケーシング，可動部の嵌合部分に安全機構の安全ピンがネジ込まれるネジ孔を穿孔しなければならないため、絞込部材のケーシング，可動部の嵌合部分に土砂が侵入して絞込部材のワイアの絞込み動作が確実になされなくなることがあるという問題点がある。
【０００９】
本発明は、このような問題点を考慮してなされたもので、容易な操作で安全性を確保することができ、ワイアの絞込み動作に確実性が保障される小動物捕獲装置を提供することを課題とする。
【課題を解決するための手段】
【００１０】
前述の課題を解決するため、本発明に係る小動物捕獲装置は、特許請求の範囲の各請求項に記載の手段を採用する。
【００１１】
即ち、請求項１では、ループ状に広げられて配置されたワイアを絞込んで小動物の足を縛る絞込部材と、絞込部材の絞込み動作を阻止する安全機構とを備え、絞込部材は内部にコイルスプリングが弾圧収容されたケーシングとケーシングの上部に嵌合されコイルスプリングの弾圧でワイアに沿って移動してワイアを絞込む可動部とからなり、安全機構は絞込部材のケーシングに突出して取付けられたネジ孔付きのフランジに安全ピンがネジ込まれて絞込部材の可動部に突出して取付けられたフランジを押圧するものであることを特徴とする。
【００１２】
この手段では、土中に埋設されてしまうものの絞込部材のケーシングに突出して設けられたネジ孔付きのフランジに安全ピンがネジ込まれて絞込部材の可動部に突出して取付けられたフランジを押圧することで、絞込部材の絞込み動作を阻止する安全機構を絞込部材に沿った方向から操作することができる。また、安全機構の安全ピンがネジ込まれるネジ孔が絞込部材から突出されたフランジに設けられることで、絞込部材のケーシング，可動部の嵌合部分への土砂の侵入が避けられる。
【００１３】
また、請求項２では、請求項１の小動物捕獲装置において、安全機構の安全ピンはフランジのネジ孔に螺合されて絞込部材の可動部よりもかなり長く突出する長さを有していることを特徴とする。
【００１４】
この手段では、安全機構の安全ピンがかなりの長さを有していることで、絞込部材が埋設された土中から突出させて操作することができるようになる。
【００１５】
また、請求項３では、請求項２の小動物捕獲装置において、安全機構の安全ピンは下端部にネジ孔に螺合されるネジ部が刻設され上端部に手を掛けることのできる摘部が設けられていることを特徴とする。
【００１６】
この手段では、下端部にネジ部が刻設され上端部に摘部が設けられた長軸の安全ピン構造とされることで、ネジ込み箇所から離れた位置からの操作が可能になる。
【００１７】
また、請求項４では、請求項１〜３のいずれかの小動物捕獲装置において、安全機構の絞込部材のケーシングに取付けられたフランジは絞込部材の可動部に取付けられたフランジの側面に対面する回止部が設けられていることを特徴とする
【００１８】
この手段では、安全機構の回止部によって絞込部材のケーシング，可動部の相対的回動が阻止される。
【発明の効果】
【００１９】
本発明に係る小動物捕獲装置は、土中に埋設されてしまうものの絞込部材のケーシングに突出して設けられたネジ孔付きのフランジに安全ピンがネジ込まれて絞込部材の可動部に突出して取付けられたフランジを押圧することで、絞込部材の絞込み動作を阻止する安全機構を絞込部材に沿った方向から操作することができるため、容易な操作で安全性を確保することができる効果がある。また、安全機構の安全ピンがネジ込まれるネジ孔が絞込部材から突出されたフランジに設けられることで、絞込部材のケーシング，可動部の嵌合部分への土砂の侵入が避けられるため、ワイアの絞込み動作に確実性が保障される効果がある。
【００２０】
さらに、請求項２として、安全機構の安全ピンがかなりの長さを有していることで、絞込部材が埋設された土中から突出させて操作することができるようになるため、より容易な操作で安全性を確保することができる効果がある。
【００２１】
さらに、請求項３として、下端部にネジ部が刻設され上端部に摘部が設けられた長軸の安全ピン構造とされることで、ネジ込み箇所から離れた位置からの操作が可能になるため、絞込部材が埋設された土中から突出させて確実に操作することができる効果がある。
【００２２】
さらに、請求項４として、安全機構の回止部によって絞込部材のケーシング，可動部の相対的回動が阻止されるため、絞込部材と連係する部材の動作の正確性を確保することができる効果がある。
【図面の簡単な説明】
【００２３】
【図１】本発明に係る小動物捕獲装置を実施するための形態の設置作業状態の縦断面図である。
【図２】図１の要部の斜視図である。
【図３】図１の反対側の縦断面図である。
【図４】図１の平面図である。
【図５】図１の要部の斜視図である。
【図６】図１の他の要部の拡大図である。
【図７】図６の他動作図である。
【図８】図１の設置完了状態における捕獲動作を示す図である。
【図９】図８の要部の拡大断面図である。
【図１０】図９の分解図である。
【図１１】図８の要部拡大図である。
【図１２】図８に続く動作を示す図である。
【発明を実施するための形態】
【００２４】
以下、本発明に係る小動物捕獲装置を実施するための形態を図面に基づいて説明する。
【００２５】
この形態は、図１〜図３に示すように、踏板１，ワイア２，絞込部材３，応動部材４，安全機構５，踏抜穴用筒６，第１の挿通孔７，第２の挿通孔８，ピン状物９，棒状物１０，ワイア固定部材１１で構成されている。
【００２６】
踏板１は、木材，合成樹材等で円板形に形成されたもので、小動物の踏抜きの際の荷重で湾曲，破損が生じない程度の強度，厚さを有している。なお、踏板１の径については、捕獲対象とする小動物の大きさ，習性等に対応して選択される。
【００２７】
ワイア２は、多数本の金属線が撚合わされたもので、先端部に挿通によりループ状に広げることを可能にする小環状のフック部２ａが設けられ（図４参照）、フック部２ａから少し離れた部分にフック部２ａへの通過が不能な大きさ（ループの最小を規制）の絞ストッパ２ｂが取付けられている。
【００２８】
絞込部材３は、弾圧構造体からなるもので、内部にコイルスプリング３ａが弾圧収容された円筒形のケーシング３ｂの上部にコイルスプリング３ａの弾圧でワイア２に沿って移動する円筒形の可動部３ｃが嵌合されている。コイルスプリング３ａは、金属材で形成され中心にワイア２が挿通されるもので、可動部３ｃを素早くワイア２の絞ストッパ２ｂにまで到達させてループ状に広げられたワイア２を瞬時に絞込むことのできる強力な弾圧力を有している。ケーシング３２は、金属材で形成され下端部でコイルスプリング３ａを受けてワイア２が挿通される有底構造とされたもので、下端部にワイア２を固定するための固定用ネジ３ｄが取付けられ、上端部付近の周面に踏抜穴用筒５に係止される係止用フランジ３ｅが取付けられている。可動部３ｃは、金属材で形成され上端部でコイルスプリング３ａを受けてワイア２が挿通される有天構造とされたもので、ケーシング３ｂに嵌合着脱が可能な軸長の短いキャップ形に形成されている。ケーシング３ｂ，可動部３ｃの内部には、図９，図１０に詳細に示されるように、絞込部材３のセットの際にコイルスプリング３ａを扱いやすくするとともにケーシング３ｂ，可動部３ｃの嵌合を案内するケーシング３ｂ，可動部３ｃを一回り小さくした形状のインナースリーブ３ｆ，３ｇが挿通されている。
【００２９】
応動部材４は、起伏構造体からなるもので、絞込部材３のケーシング３ｂに取付けられた支持板４ａにアーム４ｂが起伏（回転）可能に支持され、アーム４ｂの先端部に受板４ｃが取付けられ、アーム４ｂの中途部に絞込部材３の可動部３ｃに取付けられたロックピン４ｄに係合するロック溝４ｅが設けられている。支持板４ａは、絞込部材３の係止用フランジ３ｅとは逆側に絞込部材３のケーシング３ｂの断面円の接線方向に突出されている。アーム４ｂは、く字形に形成されて支持板４ａに接合され支持板４ａの突出端に支軸４ｆで支持され、絞込部材３のケーシング３ｂには衝突することなくロック溝４ｅが設けられたく字形の角部を上方に向けて支持板４ａとは逆方向へ延びている。受板４ｃは、踏板１よりもかなり小さな円板形に形成され、アーム４ｂの先端部に設けられた軸受４ｇに回転可能に支持されている。ロックピン４ｄは、丸棒形に形成されて支持板４ａ（アーム４ｂ）に対して直交するように絞込部材３の可動部３ｃから突出されている。ロック溝４ｅは、図７に詳細に示されるように、ロックピン４ｄの中心から支軸４ｆを通る直線Ｌよりも外側（離脱側）で少しの面で係合される弧面に形成されている。また、ロック溝４ｅは、図６に詳細に示されるように、ロックピン４ｄの円弧面よりもわずかに大きな円弧面または楕円弧面に形成されて、安全機構５を掛けた際に図７に示した係合部分がわずかに離間するように設定されている。なお、このロックピン４ｄ，ロック溝４ｅの構成に対応して、図６に示した状態を許容するため、図７に示した状態の前述の絞込部材３においてケーシング３ｂ，可動部３ｃの間とインナースリーブ３ｆ，３ｇの間とにスペースＳが形成されるように寸法設定されている（図９参照）。
【００３０】
安全機構５は、図２に詳細に示されるように、螺合構造体からなるもので、絞込部材３のケーシング３ｂに突出して取付けられたネジ孔５ａ付きのフランジ５ｂに絞込部材３の可動部３ｃに突出して取付けられた挿通孔５ｃ付きのフランジ５ｄが相対され、挿通孔５ｃに挿通された安全ピン５ｅがネジ孔５ａにネジ込まれるものとなっている。絞込部材３のケーシング３ｂに取付けられたフランジ５ｂは、Ｌ字形に屈曲されて絞込部材３の可動部３ｃに取付けられたフランジ５ｄの側面に対面されるように可動部３ｃの方向へ延びた回止部５ｆが設けられている。安全ピン５ｅは、金属棒材の下端部にネジ孔５ａに螺合されるネジ部５ｅａが刻設され、上端部に手を掛けることのできる摘部５ｅｂが湾曲加工され、中途部に挿通孔５ｃよりも径の大きなストッパ部５ｅｃが設けられ、挿通孔５ｃに挿通されネジ孔５ａに螺合された状態で絞込部材３の可動部３ｃよりもかなり長く上方へ突出する長さを有している。
【００３１】
踏抜穴用筒６は、合成樹脂材で円筒形に形成されてなるもので、踏板１の径とほぼ同一の内径を有し、上端縁から下方に向けて細幅の切欠部６ａが設けられ、切欠部６ａの下端縁が平坦面の受座６ｂとされている。切欠部６ａは、外部から応動部材４のアーム４ｂの挿入を可能にする。受座６ｂは、絞込部材３の係止用フランジ３ｅが係止される。
【００３２】
第１の挿通孔７は、踏抜穴用筒６に穿孔された孔からなるもので、ピン状物９が挿通される径を有して踏抜穴用筒６の切欠部６ａに対面する位置の上端部付近に１個が配置されている。
【００３３】
第２の挿通孔８は、踏抜穴用筒６に穿孔された孔からなるもので、ピン状物９が挿通される径を有して第１の挿通孔７から離れた位置の上端部付近に放射状に６個が配置されている。第２の挿通孔８の穿孔位置については、第１の挿通孔７よりも踏板１の厚さ分高く設定されている。
【００３４】
ピン状物９は、多少の荷重で破断する材質からなるもので、第１の挿通孔７，第２の挿通孔８に挿通されて踏板１の上下面に当接される長さを有している。このピン状物９については、具体的に爪楊枝が好適である。
【００３５】
棒状物１０は、荷重に対してある程度の可撓性を有する材質からなるもので、踏抜穴用筒６の周囲のループ状に広げられたワイア２の内側の土に突刺されるものである。この棒状物１０については、具体的に竹串が好適である。
【００３６】
ワイア固定部材１１は、針金等からなるもので、踏抜穴用筒６の切欠部６ａ付近の上端部に取付けられワイア２のループ状の部分に絡ませることができる長さを有している。
【００３７】
この形態を設置するには、獣道等に踏抜穴用筒６の全体と絞込部材３等とを収容する踏抜穴Ｈを掘設する。そして、踏抜穴Ｈに踏抜穴用筒６を据付けた後、予め組付けておいたワイア２，絞込部材３，応動部材４，安全機構５を踏抜穴用筒６の内部，外部に設置する。
【００３８】
このとき、ワイア２の絞ストッパ２ｂの位置を調整してワイヤ２の絞込径を調整し、捕獲対象とする小動物よりも小さな動物（例えば、鳥，ウサギ）が足括りされないようにする。そして、ワイア２をループ状に広げてワイア２の絞込部材３への挿通長さを調整して絞込部材３の固定用ネジ３ｄで固定しておき、絞込部材３を踏抜穴用筒６の切欠部６ａに位置させて直立するように土に押込み係止用フランジ３ｅを踏抜穴用筒６の受座６ｂに係止させる。即ち、絞込部材３の係止用フランジ３ｅと踏抜穴用筒６の受座６ｂとは、絞込部材３，踏抜穴用筒６の間の位置決め構造として機能する。
【００３９】
この結果、絞込部材３に組付けられている応動部材４のアーム４ｂが踏抜穴用筒６の内部に延びて受板４ｃが踏抜穴用筒６の内部で水平に支持される。この状態は、応動部材４のロックピン４ｄ，ロック溝４ｅの係合よりも、安全機構５によって維持されているといえる。即ち、安全機構５の安全ピン５ｅのネジ部５ｅａが絞込部材３のケーシング３ｂに取付けられたフランジ５ｂのネジ孔５ａに螺合されストッパ部５ｅｃが絞込部材３の可動部３ｃに取付けられたフランジ５ｄを押圧していることで、絞込部材３のコイルスプリング３ａの弾圧に抗してケーシング３ｂ，可動部３ｃの離脱が阻止されている。
【００４０】
この後、第１の挿通孔７にピン状物９を挿通してから、踏抜穴用筒６の上端口から内部に踏板１を落込む。
【００４１】
この結果、踏板１が応動部材４の受板４ｃと第１の挿通孔７に挿通されたピン状物９とに当接されて下支えされ踏抜穴用筒６の内部の上端近くに支持される。
【００４２】
この後、第２の挿通孔８にピン状物９を挿通する。
【００４３】
この結果、踏板１が応動部材４の受板４ｃと第１の挿通孔７に挿通されたピン状物９とで下支えされた箇所以外で上面が第２の挿通孔８に挿通されたピン状物９によって下押しされ、踏板１のグラ付きが防止されて水平の姿勢が安定化される。
【００４４】
この後、ワイア２のループ状の部分を踏抜穴用筒６の内周側にはみださないようにして外周に沿わせワイア固定部材１１を絡ませて浮上がりを阻止し、ワイア２のループ状の部分と踏抜穴用筒６の間に棒状物１０を２本程度ほぼ垂直に突刺す。
【００４５】
このとき、棒状物１０の突刺す位置をワイア２のループ状の部分の絞込部材３から離れた側に設定する。なお、第１の挿通孔７，第２の挿通孔８に挿通されたピン状物９がワイア２のループ状の部分を下支えして沈込みを阻止することになる。
【００４６】
この後、踏板１を含めて踏抜穴Ｈの開口の全面を土砂，枯葉等の隠蔽用土砂類Ｒで隠蔽し、安全機構５の安全ピン５ｅの摘部５ｅｂを摘んで回動させ安全ピン５ｅをネジ孔５ａ，挿通孔５ｃから引抜くことで設置が完了する。
【００４７】
このとき、安全機構５の安全ピン５ｅが隠蔽用土砂類Ｒよりも上方に長く突出されているため、安全ピン５ｅの回動操作を容易に実施することができる。また、安全機構５の安全ピン５ｅに摘部５ｅｂが設けられているため、安全機構５の安全ピン５ｅの回動操作を確実に行うことができる。また、特許文献１に係る小動物捕獲装置のように絞込部材３の側部から操作しないでよいため、隠蔽用土砂類Ｒを被せた後に安全機構５の安全ピン５ｅの引抜きを実行して、隠蔽用土砂類Ｒに人間の臭気が移ったり被せた隠蔽用土砂類Ｒが崩れたりするのを防止することができる。
【００４８】
なお、安全機構５が取外されると、応動部材４のロックピン４ｄ，ロック溝４ｅが図７に示すように係合して絞込部材３のスペースＳが解消される。このとき、絞込部材３，応動部材４から機械的な係合音が生ずるため、安全機構５の操作確認がなされる。
【００４９】
なお、絞込部材３のケーシング３ｂから外部に延びているワイア２の後端部については、土，枯葉等で隠蔽して付近の立木，岩まで配線して固定しておく。
【００５０】
この形態が設置された状態では、踏板１の径と踏抜穴用筒６の内径とがほぼ一致されて、踏板１と踏抜穴用筒６（踏抜穴Ｈ）との間に無用のスペースが形成されないため、踏板１を覆う隠蔽用土砂類Ｒが落下してしまったり、スペースを通じて空気が流通したりすることがなくなる。従って、小動物に警戒心を起こしにくくなる。
【００５１】
設置されたこの形態を小動物が踏抜いた際には、踏板１が踏抜穴用筒６の内部で水平状態のまま降下する。
【００５２】
このとき、踏板１に掛かった小動物の荷重が応動部材４の受板４ｃと第１の挿通孔７，第２の挿通孔８に挿通されたピン状物９とによって広範囲，広角度で受けられ、踏板１に掛かる荷重が偏位していても、踏板１の傾倒を阻止して水平状態のままの降下が確保される。そして、踏板１の水平状態のままの降下の動作付勢と同時に、第１の挿通孔７に挿通されたピン状物９が破断して、踏板１の水平状態のままの降下の障害物となる第１の挿通孔７に挿通されたピン状物９が踏抜穴用筒６の内部から消失する。なお、踏板１の下支えが第１の挿通孔７に挿通されたピン状物９によって補助されることで、必要以上に敏感な踏板１の動作が回避されるため、捕獲対象とされる小動物よりも小型の動物の踏抜きや木実等の落下物で応動部材４が動作してしまうのを防止することができる。
【００５３】
降下した踏板１は、応動部材４の受板４ｃを押下げる。押下げられた応動部材４の受板４ｃは、アーム４ｂを介して支軸４ｆを中心として傾倒することになる。
【００５４】
このとき、応動部材４の受板４ｃがアーム４ｂの先端部に設けられた軸受４ｇに回転可能に支持されているため、荷重の偏位等で降下する踏板１にわずかな傾斜が生じたとしても、受板４ｃが回転して傾斜に対応し確実に傾倒する。
【００５５】
応動部材４のアーム４ｂの傾倒は、ロックピン４ｄからのロック溝４ｅの離脱をもたらす。
【００５６】
このとき、支点である応動部材４の支軸４ｆが支持板４ａの突出先端に設けられて力点である受板４ｃとの長さが充分に確保されているため、応動部材４の応動性が敏感になる。また、安全機構５の回止部５ｆが絞込部材３の可動部３ｃに取付けられているフランジ５ｄに当接することで、応動部材４のアーム４ｂの傾倒の応力によって絞込部材３のケーシング３ｂが回動してしまうのを阻止するため、応動部材４のロックピン４ｄからのロック溝４ｅの離脱が確実になされる。
【００５７】
応動部材４のロックピン４ｄ，ロック溝４ｅの離脱は、絞込部材３にワイア２の絞込み動作を開始させる。
【００５８】
即ち、絞込部材３のケーシング３ｂに嵌合された可動部３ｃは、応動部材４のロックピン４ｄ，ロック溝４ｅの離脱でコイルスプリング３ａの弾圧を受けてワイア２に沿って移動する。この移動は、瞬時になされ絞込部材３の可動部３ｃが隠蔽用土砂類Ｒを跳上げて地上に突出し、ワイア２を絞ストッパ２ｂまで絞込んで踏板１を踏抜いた小動物の足を縛ることになる。なお、安全機構５の安全ピンｃがネジ込まれるネジ孔５ａが絞込部材３のケーシング３ｂ，可動部３ｃから突出されたフランジ５ｂに設けられ、特許文献１に係る小動物捕獲装置の安全機構のように絞込部材３のケーシング３ｂ，可動部３ｃの嵌合部分に土砂が侵入することがないため、絞込部材３のワイア２の絞込み動作が常に確実になされる。
【００５９】
踏板１，絞込部材３の動作を中継している応動部材４の動作については、主に踏抜穴用筒６の内部でなされ、スライドのような動作形態とならずに傾倒の動作形態となるため、絞込部材３に土砂が付着していても何等障害になることはない。従って、応動部材４の動作の円滑性が損なわれることがなく、絞込部材３のワイア２の絞込み動作に迅速性が保障される。なお、前述のように応動部材４の応動性が敏感になるように支点，力点の長さを長く設定してあることも、絞込部材３のワイア２の絞込み動作の迅速性の保障に寄与する。
【００６０】
絞込部材３のワイア２の絞込み動作では、図１１に示すように、可動部３ｃによって絞込まれるワイア２のループ状の部分が踏抜穴用筒６の外側に突刺されている棒状物１０によって上方に案内される。即ち、小動物が異常を感知して引上げようとする足に追従するように絞込まれるワイア２のループ状の部分を上昇させ、ワイア２のループ状の部分が単に横移動して足が引上げられた後に空で絞込まれることがないようにする。
【００６１】
また、足にワイア２が縛付けられた小動物が暴れた際には、図１２に示すように、応動部材４が絞込部材３に沿うように傾倒されるため、地面等を引きずられても絞込部材３，応動部材４が損傷することがない。従って、何度も繰返し使用することができる。
【００６２】
小動物が捕獲されずにこの形態を撤収する場合には、隠蔽用土砂類Ｒに安全機構５の安全ピン５ｅを挿通して、安全ピン５ｅの摘部５ｅｂを摘んで回動させネジ部５ｅａをネジ孔５ａに螺合させストッパ部５ｅｃを絞込部材３の可動部３ｃに取付けられているフランジ５ｄに押圧させる。この結果、絞込部材３の可動部３ｃがケーシング３ｂから不測に突出されことがなくなる。従って、踏抜穴Ｈからワイア２，絞込部材３，応動部材４，安全機構５等を安全に取出すことができる。
【００６３】
このとき、隠蔽用土砂類Ｒの上から安全機構５の絞込部材３に取付けられているフランジ５ｂ，５ｄの位置の見当がつくため、隠蔽用土砂類Ｒを除去する必要がない。従って、隠蔽用土砂類Ｒの除去作業において、誤って踏板１，絞込部材３，応動部材４等に触れて、絞込部材３にワイア２の絞込み動作を開始させてしまうことがない。
【００６４】
この結果、絞込部材３の可動部３ｃがケーシング３ｂから不測に突出されことがなくなる。従って、踏抜穴Ｈからワイア２，絞込部材３，応動部材４，安全機構５等を安全に取出すことができる。
【００６５】
以上、図示した形態の外に、ピン状物９を踏抜穴用筒６に起伏可能に取付けたものとすることも可能である。
【００６６】
さらに、安全機構５の安全ピン５ｅの摘部５ｅｂをさらに操作しやすい大きなハンドル形とすることもできる。
【００６７】
さらに、隠蔽用土砂類Ｒの中にある安全機構５のネジ孔５ａの位置を把握しやすいように、安全機構５のフランジ５ｂや安全ピン５ｃを着磁して吸引案内されるようにすることも可能である。
【産業上の利用可能性】
【００６８】
本発明に係る小動物捕獲装置は、踏板１の径や絞込部材３のコイルスプリング３ａの弾圧力を調整することで、かなり小さなものからかなり大きなものまでの広範な小動物を捕獲対象とすることができる。
【符号の説明】
【００６９】
１            踏板
２            ワイア
３            絞込部材
４            応動部材
５            安全機構
５ａ          ネジ孔
５ｂ          フランジ
５ｅ          安全ピン
５ｅａ        ネジ部
５ｅｂ        摘部
５ｆ          回止部
６            踏抜穴用筒
７            第１の挿通孔
８            第２の挿通孔
９            ピン状物
１０            棒状物
Ｈ            踏抜穴
【図１】
2011030507.tif 000003
【図２】
2011030507.tif 000004
【図３】
2011030507.tif 000005
【図４】
2011030507.tif 000006
【図５】
2011030507.tif 000007
【図６】
2011030507.tif 000008
【図７】
2011030507.tif 000009
【図８】
2011030507.tif 000010
【図９】
2011030507.tif 000011
【図１０】
2011030507.tif 000012
【図１１】
2011030507.tif 000013
【図１２】
2011030507.tif 000014